(57)【要約】【課題】本発明は、印字用紙巻き取り装置本体を回転させる必要がなく、部品精度および組み立て精度を緩和することができ、部品および製造にかかるコストを低減することができ、製品としてのトータルコストを低減させることができる印字用紙巻き取り装置を提供することを課題とする。【解決手段】印字用紙３を巻き取る支管が装着される巻き取りボス１４は、３次元的にフリーな状態で巻き取り軸１１に環装されている。すなわち、巻き取りボス１４は、中間リング１６にＺ軸に対して回転自在に軸支されていると共に、中間リング１６は、ワンウェイクラッチ１５にＹ軸に対して回転自在に軸支され、ワンウェイクラッチ１５は、巻き取り軸１１上をスライド自在に環装されているため、印字用紙３からのテンションによって、巻き取りボス１４をプラテン２１に平行に位置決めすることができる。【選択図】        図１
2004195803.tif 000002
【特許請求の範囲】
【請求項１】
プリンタによって印字された印字用紙をロール状に巻き取る印字用紙巻き取り装置であって、
前記印字用紙を巻き取るための駆動力を与える巻き取り軸と、
該巻き取り軸の巻き取り方向の回転に連動して回転すると共に、前記巻き取り軸に３次元的にフリーな状態で環装された巻き取りボスとを具備することを特徴とする印字用紙巻き取り装置。
【請求項２】
前記巻き取り軸上をスライド自在に環装されている第１の管状部材と、
該第１の管状部材に前記巻き取り軸と垂直な軸に対して回転自在に取り付けられた第２の管状部材とを具備し、
前記巻き取りボスは、前記巻き取り軸と垂直で、且つ前記第２の管状部材が前記第１の管状部材に回転自在に取り付けられている軸と垂直な軸に対して回転自在に前記第２の管状部材に取り付けられていることを特徴とする請求項１記載の印字用紙巻き取り装置。
【請求項３】
前記第１の管状部材は、前記巻き取り軸が巻き取り方向に回転する場合には、前記巻き取り軸に固定され、前記巻き取り軸が巻き取り方向と逆方向に回転する場合には、前記巻き取り軸からフリーな状態となるワンウェイクラッチであることを特徴とする請求項１又は２記載の印字用紙巻き取り装置。
【発明の詳細な説明】
【０００１】
【発明の属する技術分野】
本発明は、プリンタによって印字されたラベルやタグなどの印字用紙をロール状に巻き取る印字用紙巻き取り装置に関し、特にプリンタから排出される印字用紙を回転軸に装着された支管に巻き取る印字用紙巻き取り装置に関する。
【０００２】
【従来の技術】
プリンタによって印字されたラベルやタグなどの印字用紙をロール状に巻き取る印字用紙巻き取り装置においては、印字用紙の巻きズレを防止するために、プリンタと印字用紙巻き取り装置との位置決めが重要になる。特にプリンタにおいて印字用紙を搬送するプラテンと、印字用紙巻き取り装置において印字用紙を巻き取る巻き取り軸との平行を保った状態で印字用紙の巻き取りを行う必要がある。
【０００３】
そこで本出願人は、印字用紙巻き取り装置本体を台座に回転自在に取り付けると共に、巻き取り軸に巻き取り軸管を軸方向に移動自在に取り付け、印字用紙巻き取り装置がプリンタに対して多少ずれた位置に配置されている場合にも、姿勢を自動的に修正することができる印字用紙巻き取り装置を提案している（特許文献１参照）。
【０００４】
【特許文献１】
特願２００２−１８３８０４号（図１〜図４）
【０００５】
【発明が解決しようとする課題】
しかしながら、従来技術では、印字用紙からのテンションによってモータ等の重量物を含む印字用紙巻き取り装置本体を回転させる必要があると共に、巻き取り軸とプラテンとを平行にするためには、水平を保った状態で印字用紙巻き取り装置本体を回動させる必要があり、印字用紙巻き取り装置本体を台座に回転自在に取り付ける機構にかかる部品精度および組み立て精度に高精度が要求され、部品および製造にかかるコストが増大してしまうという問題点があった。
【０００６】
本発明は斯かる問題点を鑑みてなされたものであり、その目的とするところは、印字用紙巻き取り装置がプリンタに対して多少ずれた位置に配置されている場合にも、印字用紙巻き取り装置本体を回転させずに、姿勢を自動的に修正でき、部品精度および組み立て精度を緩和することができ、部品および製造にかかるコストを低減することができ、製品としてのトータルコストを低減させることができる印字用紙巻き取り装置を提供する点にある。
【０００７】
【課題を解決するための手段】
本発明は上記課題を解決すべく、以下に掲げる構成とした。
請求項１記載の発明の要旨は、プリンタによって印字された印字用紙をロール状に巻き取る印字用紙巻き取り装置であって、前記印字用紙を巻き取るための駆動力を与える巻き取り軸と、該巻き取り軸の巻き取り方向の回転に連動して回転すると共に、前記巻き取り軸に３次元的にフリーな状態で環装された巻き取りボスとを具備することを特徴とする印字用紙巻き取り装置に存する。
また請求項２記載の発明の要旨は、前記巻き取り軸上をスライド自在に環装されている第１の管状部材と、該第１の管状部材に前記巻き取り軸と垂直な軸に対して回転自在に取り付けられた第２の管状部材とを具備し、前記巻き取りボスは、前記巻き取り軸と垂直で、且つ前記第２の管状部材が前記第１の管状部材に回転自在に取り付けられている軸と垂直な軸に対して回転自在に前記第２の管状部材に取り付けられていることを特徴とする請求項１記載の印字用紙巻き取り装置に存する。
また請求項３記載の発明の要旨は、前記第１の管状部材は、前記巻き取り軸が巻き取り方向に回転する場合には、前記巻き取り軸に固定され、前記巻き取り軸が巻き取り方向と逆方向に回転する場合には、前記巻き取り軸からフリーな状態となるワンウェイクラッチであることを特徴とする請求項１又は２記載の印字用紙巻き取り装置に存する。
【０００８】
【発明の実施の形態】
以下、本発明の実施の形態を図面に基づいて詳細に説明する。
【０００９】
図１は、本発明に係る印字用紙巻き取り装置の実施の形態の構成を示す外観斜視図であり、図２は、図１に示す巻き取りボスと巻き取り軸との取り付け機構を示す一部透過の斜視図であり、図３は、図１に示す巻き取りボスと巻き取り軸との取り付け部の断面図であり、図４は、図２に示すワンウェイクラッチの構成を示す断面図である。
【００１０】
本実施の形態の印字用紙巻き取り装置１は、図１を参照すると、巻き取り軸１１と、巻き取り軸１１を片持ち支持すると共に、回転駆動するモータ１２と、モータ１２を立設する台座１３と、巻き取り軸１１に取り付けられている巻き取りボス１４とからなり、図示しない印字ヘッドとプラテン２１とによって挟持された状態で行われるプラテン２１の回転によってプリンタ２から排出される印字用紙３を巻き取りボス１４に装着された支管に巻き取る構成になっている。
【００１１】
巻き取りボス１４は、図１に示すＸ軸上（巻き取り軸１１上）をスライド自在に、且つＸ軸と垂直なＹ軸と、Ｘ軸およびＹ軸と垂直なＺ軸とに対して回転自在に、３次元的にフリーな状態で巻き取り軸１１に環装されている。なお、図１に示すＹ軸およびＺ軸は、固定されたものではなく、巻き取り軸１１の回転によって変位するものである。
【００１２】
巻き取りボス１４の巻き取り軸１１への取り付け機構は、図２および図３を参照すると、巻き取り軸１１に環装されている第１の管状部材としてのワンウェイクラッチ１５と、ワンウェイクラッチ１５に環装されている第２の管状部材としての中間リング１６とからなり、ワンウェイクラッチ１５は、Ｘ軸上（巻き取り軸１１上）をスライド自在に環装され、中間リング１６は、Ｘ軸と垂直なＹ軸に対して回転自在に軸支されている。巻き取りボス１４は、中間リング１６に環装され、Ｘ軸およびＹ軸と垂直なＺ軸に対して回転自在に軸支されている。
【００１３】
ワンウェイクラッチ１５は、図４を参照すると、巻き取り軸１１の周縁に対向して形成されている複数の空間１５１と、複数の空間１５１のそれぞれに収納された球体１５２とを有する。空間１５１の形状は、巻き取り軸１１が巻き取り方向に回転する場合（図４（ａ）に示す反時計回りの回転）には、球体１５２が空間１５１内で固定され、図４（ｂ）に示すように、巻き取り軸１１が巻き取り方向と逆方向に回転（図４（ｂ）に示す時計回りの回転）、もしくは巻き取り軸１１が停止している場合には、球体１５２が空間１５１内で開放されるように形成されている。従って、図４（ａ）に示すように、巻き取り軸１１が巻き取り方向に回転する場合には、巻き取り軸１１にワンウェイクラッチ１５が固定され、巻き取り軸１１と共にワンウェイクラッチ１５が回転し、図４（ｂ）に示すように、巻き取り軸１１が巻き取り方向と逆方向に回転する場合、もしくは巻き取り軸１１が停止している場合には、巻き取り軸１１にワンウェイクラッチ１５が固定されず、Ｘ軸上（巻き取り軸１１上）をスライド自在な状態となる。
【００１４】
なお、ワンウェイクラッチ１５において、球体１５２の代わりに、円柱部材を空間１５１内に収納するようにしても良い。空間１５１内に収納する円柱部材は、その中央部分が細くなっていて、円柱部材の端部のみが巻き取り軸１１に接触し、円柱部材と巻き取り軸１１との接触面積が小さくなるように構成されており、ワンウェイクラッチ１５がＸ軸上（巻き取り軸１１上）をスライドする際の摩擦を低減させることができ、ワンウェイクラッチ１５をスムーズにスライドさせることができる。また、複数の空間１５１内にそれぞれ収納する複数の円柱部材は、その端部をリング等の環状部材によって固定されて一体化される構成となっている。
【００１５】
また、ワンウェイクラッチ１５の周縁には、図２および図３を参照すると、Ｘ軸（巻き取り軸１１）に対して垂直なＹ軸上に一対の筒状受け部１５３が形成され、中間リング１６の内周に形成された突起部１６１を筒状受け部１５３に貫入することによって中間リング１６をＹ軸に対して回転自在に軸支するように構成されている。
【００１６】
中間リング１６の周縁には、図２および図３を参照すると、Ｘ軸（巻き取り軸１１）に対して垂直で、且つＹ軸に対して垂直なＺ軸上に一対の筒状受け部１６２が形成され、巻き取りボス１４の内周に形成された突起部１４１を筒状受け部１６２に貫入することによって巻き取りボス１４をＺ軸に対して回転自在に軸支するように構成されている。
【００１７】
ワンウェイクラッチ１５の筒状受け部１５３と、中間リング１６の突起部１６１および筒状受け部１６２と、巻き取りボス１４の突起部１４１とは、図２および図３に示すように、Ｘ軸（巻き取り軸１１）に垂直な同一平面上に形成されており、巻き取りボス１４は、Ｙ軸およびＺ軸に対して回転自在な状態で巻き取り軸１１に環装される構成となっている。
【００１８】
次に、本実施の形態の動作について図５および図６を参照して詳細に説明する。
図５は、本発明に係る印字用紙巻き取り装置の実施の形態のワンウェイクラッチの動作を説明するための説明図であり、図６は、本発明に係る印字用紙巻き取り装置の実施の形態の巻き取りボスの動作を説明するための説明図である。
【００１９】
まず、印字用紙巻き取り装置１の巻き取り軸１１がプリンタのプラテン２１とほぼ平行になるように配置し、巻き取りボス１４に支管を装着する。巻き取りボス１４への支管の装着方法は、例えば、巻き取りボス１４に環装された支管の一端部を規制する幅規制板を巻き取りボス１４に設け、支管を巻き取りボス１４に環装した後、支管の他端部を押さえる押え部材を巻き取りボス１４に環装して固定することによって装着する。
【００２０】
巻き取りボス１４に支管を装着した後、印字用紙３を支管に取り付けて、印字用紙３を引っ張ってテンションをかける。この状態では、巻き取り軸１１が巻き取り方向と逆方向に回転するか、巻き取り軸１１が停止しているため、ワンウェイクラッチ１５は巻き取り軸１１に固定されておらず、図５に示すように、ワンウェイクラッチ１５がＸ軸上（巻き取り軸１１）をスライドして巻き取りボス１４がプリンタ２のプラテン２１に対して最短距離で安定する。また、巻き取りボス１４は、ワンウェイクラッチ１５にＹ軸およびＺ軸に対して回転自在に軸支、すなわち巻き取りボス１４が中間リング１６にＺ軸に対して回転自在に軸支されていると共に、中間リング１６がワンウェイクラッチ１５にＹ軸に対して回転自在に軸支されているため、図６に示すように、巻き取り軸１１とプリンタ２のプラテン２１とが平行でない場合にも、巻き取りボス１４とプリンタ２のプラテン２１とが平行になるように位置決めされる。
【００２１】
次に、巻き取り軸１１を巻き取り方向に回転させることにより、ワンウェイクラッチ１５が巻き取り軸１１に固定され、ワンウェイクラッチ１５と共に巻き取りボス１４が回転し、印字用紙３が支管に巻き取られる。印字用紙３の巻き取り中も、巻き取りボス１４とプリンタ２のプラテン２１との平行状態が維持されるため、支管に印字用紙３を正確に巻き取ることが可能になる。
【００２２】
以上説明したように、本実施の形態によれば、支管を装着する巻き取りボス１４を３次元的にフリーな状態で巻き取り軸１１に環装するように構成することにより、印字用紙巻き取り装置１がプリンタに対して多少ずれた位置に配置されている場合にも、印字用紙巻き取り装置１本体を回転させずに、姿勢を自動的に修正でき、部品精度および組み立て精度を緩和することができ、部品および製造にかかるコストを低減することができ、製品としてのトータルコストを低減させることができるという効果を奏する。
【００２３】
さらに、本実施の形態によれば、支管を装着する巻き取りボス１４を３次元的にフリーな状態で巻き取り軸１１に環装するように構成することにより、印字用紙からのテンションによって簡単に巻き取りボス１４とプリンタ２のプラテン２１との位置合わせを行うことができるため、印字用紙巻き取り装置１とプリンタ２との位置出しが不要になって巻き取り品質が安定すると共に、印字用紙巻き取り装置１とプリンタ２との位置出しの必要がなくなるため、印字用紙巻き取り作業の段取り時間を短縮することができるという効果を奏する。
【００２４】
さらに、本実施の形態によれば、ワンウェイクラッチ１５を巻き取り軸１１にスライド自在に取り付け、中間リング１６をワンウェイクラッチ１５にＹ軸に対して回転自在に軸支し、巻き取りボス１４を中間リング１６にＺ軸に対して回転自在に軸支する構成とすることにより、印字用紙からのテンションによってスムーズに巻き取りボス１４とプリンタ２のプラテン２１との位置合わせを行うことができるため、常に安定した状態で印字用紙３を巻き取ることができ、印字用紙３の巻き崩れを防止するためのガイドを不要にすることができるという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２６】
【発明の効果】
本発明の印字用紙巻き取り装置は、支管を装着する巻き取りボスを３次元的にフリーな状態で巻き取り軸に環装するように構成することにより、印字用紙巻き取り装置がプリンタに対して多少ずれた位置に配置されている場合にも、印字用紙巻き取り装置本体を回転させずに、姿勢を自動的に修正でき、部品精度および組み立て精度を緩和することができ、部品および製造にかかるコストを低減することができ、製品としてのトータルコストを低減させることができるという効果を奏する。
【００２７】
さらに、本発明の印字用紙巻き取り装置は、支管を装着する巻き取りボスを３次元的にフリーな状態で巻き取り軸に環装するように構成することにより、印字用紙からのテンションによって簡単に巻き取りボスとプリンタのプラテンとの位置合わせを行うことができるため、印字用紙巻き取り装置とプリンタとの位置出しが不要になって巻き取り品質が安定すると共に、印字用紙巻き取り装置とプリンタとの位置出しの必要がなくなるため、印字用紙巻き取り作業の段取り時間を短縮することができるという効果を奏する。
【００２８】
さらに、本発明の印字用紙巻き取り装置は、ワンウェイクラッチを巻き取り軸にスライド自在に取り付け、中間リングをワンウェイクラッチにＹ軸に対して回転自在に軸支し、巻き取りボスを中間リングにＺ軸に対して回転自在に軸支する構成とすることにより、印字用紙からのテンションによってスムーズに巻き取りボスとプリンタのプラテンとの位置合わせを行うことができるため、常に安定した状態で印字用紙を巻き取ることができ、印字用紙の巻き崩れを防止するためのガイドを不要にすることができるという効果を奏する。
【図面の簡単な説明】
【図１】本発明に係る印字用紙巻き取り装置の実施の形態の構成を示す外観斜視図である。
【図２】図１に示す巻き取りボスと巻き取り軸との取り付け機構を示す一部透過の斜視図である。
【図３】図１に示す巻き取りボスと巻き取り軸との取り付け部の断面図である。
【図４】図２に示すワンウェイクラッチの構成を示す断面図である。
【図５】本発明に係る印字用紙巻き取り装置の実施の形態のワンウェイクラッチの動作を説明するための説明図である。
【図６】本発明に係る印字用紙巻き取り装置の実施の形態の巻き取りボスの動作を説明するための説明図である。
【符号の説明】
１  印字用紙巻き取り装置
２  プリンタ
３  印字用紙
１１  巻き取り軸
１２  モータ
１３  台座
１４  巻き取りボス
１５  ワンウェイクラッチ
１６  中間リング
２１  プラテン
１４１  突起部１
１５１  空間
１５２  球体
１５３  筒状受け部
１６１  突起部
１６２  筒状受け部
（ａ）
【図１】
2004195803.tif 000003
【図２】
2004195803.tif 000004
【図３】
2004195803.tif 000005
【図４】
2004195803.tif 000006
【図５】
2004195803.tif 000007
【図６】
2004195803.tif 000008